(57)【要約】【課題】走査部の移動位置にかかわらずフラットケーブルが浮き上ってガラスに接触することがなく、かつ小型化及び薄型化を図ることが可能な画像読取り装置を提供する。【解決手段】フラットケーブル４６の斜線部分４６ｓが固定されている固定位置Ｓを走査部４４のコネクタ４４ａよりも原稿載置ガラス４２の手前の一辺４２ａ側にずらしているので、フラットケーブル４６には、該フラットケーブル４６が原稿載置ガラス４２の手前の一辺４２ａから離れるような捻れが生じる。また、固定位置Ｓのずれ量を適宜調節することにより、フラットケーブル４６の捻れの程度を設定することができる。このため、フラットケーブル４６の捻れの向きや程度を特定すれば、走査部４４の移動に伴ってフラットケーブル４６が変形して浮き上っても、フラットケーブル４６が原稿載置ガラス４２に接触しない。【選択図】図３
2015141349.tif 000002
【特許請求の範囲】
【請求項１】
筐体と、前記筐体の開口部に設けられた原稿載置板と、前記筐体の内側で移動される走査部と、前記走査部の接続部位に接続されて、前記接続部位から前記走査部の移動方向に引き回して設けられ、前記走査部の移動に追従するフラットケーブルとを備えた画像読取り装置であって、
前記フラットケーブルを前記接続部位から前記走査部の移動方向に離間した固定位置で固定し、
前記フラットケーブルの平坦な面の幅方向において、前記接続部位と前記固定位置とをずらしたことを特徴とする画像読取り装置。
【請求項２】
請求項１に記載の画像読取り装置であって、
前記接続部位及び前記固定位置では前記フラットケーブルの平坦な面を前記原稿載置板と平行にし、
前記原稿載置板に対する鉛直方向から視たときに、前記接続部位と前記固定位置とがずれていることを特徴とする画像読取り装置。
【請求項３】
請求項２に記載の画像読取り装置であって、
前記原稿載置板の一辺側に操作部が設けられており、
前記フラットケーブルは、前記原稿載置板の中心よりも前記操作部の近傍に配置されたことを特徴とする画像読取り装置。
【請求項４】
請求項１に記載の画像読取り装置であって、
前記接続部位及び前記固定位置では前記フラットケーブルの平坦な面の幅方向を前記原稿載置板と直交させ、
前記走査部の移動方向と直交する方向から視たときに、前記接続部位と前記固定位置とがずれていることを特徴とする画像読取り装置。
【請求項５】
請求項４に記載の画像読取り装置であって、
前記接続部位が前記固定位置よりも前記原稿載置板又は前記筐体の底部の近傍に配置されたことを特徴とする画像読取り装置。
【請求項６】
筐体と、前記筐体の開口部に設けられた原稿載置板と、前記筐体の内側で移動される走査部と、前記走査部の接続部位に接続されて、前記接続部位から前記走査部の移動方向に引き回して設けられ、前記走査部の移動に追従するフラットケーブルとを備えた画像読取り装置であって、
前記接続部位に接続された前記フラットケーブルの端部を、該フラットケーブルの平坦な面の幅方向で折り曲げたことを特徴とする画像読取り装置。
【請求項７】
筐体と、前記筐体の開口部に設けられた原稿載置板と、前記筐体の内側で移動される走査部と、前記走査部の接続部位に接続されて、前記接続部位から前記走査部の移動方向に引き回して設けられ、前記走査部の移動に追従するフラットケーブルとを備えた画像読取り装置であって、
前記接続部位から離れた前記フラットケーブルの一部を前記走査部の移動方向に移動自在に支持する移動支持部と、
前記移動支持部を前記走査部から離間する方向に付勢する付勢部材とを備えたことを特徴とする画像読取り装置。
【請求項８】
請求項１〜７のいずれか１つに記載の画像読取り装置と、
前記画像読取り装置により読取られた前記原稿画像を用紙に印刷する印刷部とを備えたことを特徴とする画像形成装置。
【発明の詳細な説明】
【技術分野】
【０００１】
本発明は、原稿等を読取る画像読取り装置、及びそれを備えた画像形成装置に関する。
【背景技術】
【０００２】
この種の画像読取り装置においては、ガラス上に原稿を位置決めして載置し、ガラスの下方に光源及びＣＣＤ(Charge Coupled Device)等の撮像素子を搭載した走査部を設け、走査部を副走査方向に移動させつつ、光源により原稿を照明して、撮像素子により原稿を主走査方向に繰り返し走査して読取っている。
【０００３】
また、フラットケーブルを走査部の移動方向（副走査方向）に延ばして配して、走査部をフラットケーブルを介して装置内部のコネクタに接続し、フラットケーブルを走査部の移動に追従させて湾曲変形させ、フラットケーブルにより走査部の電気的な接続を維持している。
【０００４】
ここで、走査部の移動に追従してフラットケーブルが湾曲変形する度に、フラットケーブルが浮き上ってガラスに接触すると、これが原因となってガラスが汚れたり傷付いたりすることがある。
【０００５】
このため、特許文献１では、画像読取り装置の本体筐体の底に溝部を形成し、走査部の移動に追従してフラットケーブルが大きく湾曲変形したときに該フラットケーブルを溝部に退避させて、フラットケーブルの浮き上りを防止している。
【０００６】
また、特許文献２では、走査部のガイドリブによりフラットケーブルを湾曲させて、フラットケーブルを走査部の下方に侵入させ、フラットケーブルの浮き上りを防止している。
【先行技術文献】
【特許文献】
【０００７】
【特許文献１】特開２００８−１７２０１号公報
【特許文献２】特開２００６−３９０５７号公報
【発明の概要】
【発明が解決しようとする課題】
【０００８】
しかしながら、特許文献１では、走査部の移動位置によってはフラットケーブルが溝部に退避せず、このときにはフラットケーブルの浮き上りが防止されず、フラットケーブルが浮き上ってガラスに接触する可能性がある。また、特許文献２では、走査部の移動位置によってはフラットケーブルが走査部の下方に侵入せず、このときにはフラットケーブルの浮き上りが防止されず、やはりフラットケーブルが浮き上ってガラスに接触する可能性がある。
【０００９】
また、近年は、画像読取り装置の小型化及び薄型化が要求されているものの、特許文献１においては、本体筐体の底に溝部を形成していることから、本体筐体の高さが高くなり、画像読取り装置の小型化及び薄型化を実現することができない。
【００１０】
そこで、本発明は、上記従来の問題点に鑑みなされたものであり、走査部の移動位置にかかわらずフラットケーブルが浮き上ってガラスに接触することがなく、かつ小型化及び薄型化を図ることが可能な画像読取り装置及びそれを備えた画像形成装置を提供することを目的とする。
【課題を解決するための手段】
【００１１】
上記課題を解決するために、本発明の画像読取り装置は、筐体と、前記筐体の開口部に設けられた原稿載置板と、前記筐体の内側で移動される走査部と、前記走査部の接続部位に接続されて、前記接続部位から前記走査部の移動方向に引き回して設けられ、前記走査部の移動に追従するフラットケーブルとを備えた画像読取り装置であって、前記フラットケーブルを前記接続部位から前記走査部の移動方向に離間した固定位置で固定し、前記フラットケーブルの平坦な面の幅方向において、前記接続部位と前記固定位置とをずらしている。
【００１２】
このような本発明の画像読取り装置では、フラットケーブルを走査部の接続部位から走査部の移動方向に引き回して設け、フラットケーブルを接続部位から走査部の移動方向に離間した固定位置で固定し、フラットケーブルの平坦な面の幅方向において接続部位と固定位置とをずらしている。これにより、フラットケーブルに捻れが生じる。また、接続部位と固定位置とをずらす方向及びずれ量を変更することにより、フラットケーブルの捻れの向きや程度を調節することができる。このため、フラットケーブルの捻れの向きや程度を適宜に調節して、走査部の移動に伴ってフラットケーブルが原稿載置板（ガラス板等）に接近し難くなるようにし、フラットケーブルを原稿載置板に接触させないようにすることができる。また、フラットケーブルを退避させるための格別なスペースを必要とせず、筐体の高さ、すなわち画像読取り装置の高さを低く抑えることができる。
【００１３】
また、本発明の画像読取り装置においては、前記接続部位及び前記固定位置では前記フラットケーブルの平坦な面を前記原稿載置板と平行にし、前記原稿載置板に対する鉛直方向から視たときに、前記接続部位と前記固定位置とがずれている。
【００１４】
接続部位及び固定位置においてフラットケーブルの平坦な面を原稿載置板と平行にすると、原稿載置板に対する鉛直方向から視たときに、接続部位と固定位置とがずれていることになる。この場合は、原稿載置板に対してフラットケーブルが捻れて斜め方向に湾曲するので、湾曲したフラットケーブルが浮き上っても、フラットケーブルが原稿載置板に接触しない。仮に、接続部位と固定位置とが一致する場合は、原稿載置板に対してフラットケーブルが最短距離の方向に湾曲して浮き上がるので、フラットケーブルが原稿載置板に接触し易くなる。
【００１５】
更に、本発明の画像読取り装置においては、前記原稿載置板の一辺側に操作部が設けられており、前記フラットケーブルは、前記原稿載置板の中心よりも前記操作部の近傍に配置されている。
【００１６】
この場合は、利用者が操作部越しに原稿載置板を視たときに、フラットケーブルが操作部により隠されて目立たなくなる。
【００１７】
また、本発明の画像読取り装置においては、前記接続部位及び前記固定位置では前記フラットケーブルの平坦な面の幅方向を前記原稿載置板と直交させ、前記走査部の移動方向と直交する方向から視たときに、前記接続部位と前記固定位置とがずれている。
【００１８】
接続部位及び固定位置においてフラットケーブルの平坦な面の幅方向を原稿載置板と直交させると、走査部の移動方向と直交する方向から視たときに、接続部位と固定位置とがずれていることになる。例えば、走査部の移動方向と直交する方向から視たときに、フラットケーブルが原稿載置板に接近した位置に設けられている場合は、接続部位と固定位置とのずれ方向及びずれ量を適宜に調節することにより、フラットケーブルが原稿載置板に接触しないような該フラットケーブルの捻れの向きや程度を設定することができる。
【００１９】
更に、本発明の画像読取り装置においては、前記接続部位が前記固定位置よりも前記原稿載置板又は前記筐体の底部の近傍に配置されている。
【００２０】
これにより、原稿載置板又は筐体の底部に接触することがないフラットケーブルの捻れの向きや程度を設定することができる。
【００２１】
次に、本発明の画像読取り装置は、筐体と、前記筐体の開口部に設けられた原稿載置板と、前記筐体の内側で移動される走査部と、前記走査部の接続部位に接続されて、前記接続部位から前記走査部の移動方向に引き回して設けられ、前記走査部の移動に追従するフラットケーブルとを備えた画像読取り装置であって、前記接続部位に接続された前記フラットケーブルの端部を、該フラットケーブルの平坦な面の幅方向で折り曲げている。
【００２２】
このような本発明の画像読取り装置では、接続部位に接続されたフラットケーブルの端部を、該フラットケーブルの平坦な面の幅方向で折り曲げている。この幅方向で折り曲げられたフラットケーブルの端部は、湾曲し難い。このため、幅方向で折り曲げられたフラットケーブルの端部の長さを適宜調節すれば、フラットケーブルの長さを短くすることなく、フラットケーブルの湾曲部分を特定することができ、フラットケーブルの浮き上り量を制限して、フラットケーブルを原稿載置板に接触させないようすることができる。
【００２３】
また、本発明の画像読取り装置は、筐体と、前記筐体の開口部に設けられた原稿載置板と、前記筐体の内側で移動される走査部と、前記走査部の接続部位に接続されて、前記接続部位から前記走査部の移動方向に引き回して設けられ、前記走査部の移動に追従するフラットケーブルとを備えた画像読取り装置であって、前記接続部位から離れた前記フラットケーブルの一部を前記走査部の移動方向に移動自在に支持する移動支持部と、前記移動支持部を前記走査部から離間する方向に付勢する付勢部材とを備えている。
【００２４】
このような本発明の画像読取り装置では、接続部位から離れたフラットケーブルの一部を移動支持部で支持し、移動支持部材を付勢部材により走査部から離間する方向に付勢しているので、走査部の移動位置にかかわらずフラットケーブルの一部が移動支持部材と共に走査部から離間する方向に付勢され、走査部から移動支持部材までの範囲では、フラットケーブルが延ばされた状態となって、フラットケーブルが原稿載置板や筐体の底部に接触することがない。
【００２５】
一方、本発明の画像形成装置は、上記本発明の画像読取り装置と、前記画像読取り装置により読取られた前記原稿画像を用紙に印刷する印刷部とを備えている。
【００２６】
このような画像形成装置においても、上記本発明の画像読取り装置と同様の作用効果を奏することができる。
【発明の効果】
【００２７】
本発明では、フラットケーブルを走査部の接続部位から走査部の移動方向に引き回して設け、フラットケーブルを接続部位から走査部の移動方向に離間した固定位置で固定し、フラットケーブルの平坦な面の幅方向において接続部位と固定位置とをずらしている。これにより、フラットケーブルに捻れが生じる。また、接続部位と固定位置とをずらす方向及びずれ量を変更することにより、フラットケーブルの捻れの向きや程度を調節することができる。このため、フラットケーブルの捻れの向きや程度を適宜に調節して、走査部の移動に伴ってフラットケーブルが原稿載置板（ガラス板等）に接近し難くなるようにし、フラットケーブルを原稿載置板に接触させないようにすることができる。また、フラットケーブルを退避させるための格別なスペースを必要とせず、筐体の高さ、すなわち画像読取り装置の高さを低く抑えることができる。
【図面の簡単な説明】
【００２８】
【図１】本発明の画像読取り装置の第１実施形態を備えた画像形成装置を示す断面図である。
【図２】第１実施形態の画像読取り装置及び原稿搬送装置を示す断面図である。
【図３】図２の画像読取り装置を示す平面図である。
【図４】（ａ）〜（ｃ）は、図２の画像読取り装置における走査部の移動に伴うフラットケーブルの湾曲の変化を模式的に示す側面図である。
【図５】（ａ）〜（ｃ）は、比較例の画像読取り装置における走査部の移動に伴うフラットケーブルの湾曲の変化を模式的に示す側面図である。
【図６】第２実施形態の画像読取り装置を示す断面図である。
【図７】図６の画像読取り装置を示す平面図である。
【図８】第３実施形態の画像読取り装置を示す断面図である。
【図９】図８の画像読取り装置を示す平面図である。
【図１０】図８の画像読取り装置におけるフラットケーブルの一部を示す断面図である。
【図１１】第４実施形態の画像読取り装置を示す断面図である。
【図１２】図１１の画像読取り装置を示す平面図である。
【発明を実施するための形態】
【００２９】
以下、本発明の実施形態を図面に基づいて説明する。
【００３０】
図１は、本発明の画像読取り装置の第１実施形態を備えた画像形成装置を示す断面図である。この画像形成装置１は、原稿を読取って記録用紙に印刷する複写機能を有しており、画像読取り装置２、原稿搬送装置３、印刷部４、及び給紙カセット５等を備えている。
【００３１】
この画像形成装置１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、印刷部４においては、現像装置１２、感光体ドラム１３、ドラムクリーニング装置１４、及び帯電装置１５を各色に応じた４種類のトナー像を形成するためにそれぞれ４個ずつ設け、それぞれをブラック、シアン、マゼンタ、及びイエローに対応付けて、４つの画像ステーションＰａ、Ｐｂ、Ｐｃ、Ｐｄを構成している。
【００３２】
各画像ステーションＰａ、Ｐｂ、Ｐｃ、Ｐｄのいずれにおいても、ドラムクリーニング装置１４により感光体ドラム１３表面の残留トナーを除去及び回収した後、帯電装置１５により感光体ドラム１３の表面を所定の電位に均一に帯電させ、光走査装置１１により感光体ドラム１３表面を露光して、その表面に静電潜像を形成し、現像装置１２により感光体ドラム１３表面の静電潜像を現像して、感光体ドラム１３表面にトナー像を形成する。これにより、各感光体ドラム１３表面に各色のトナー像が形成される。
【００３３】
引き続いて、中間転写ベルト２１を矢印方向Ｃに周回移動させつつ、ベルトクリーニング装置２５により中間転写ベルト２１の残留トナーを除去及び回収した後、各感光体ドラム１３表面に各色のトナー像を中間転写ベルト２１に順次転写して重ね合わせ、中間転写ベルト２１上にカラーのトナー像を形成する。
【００３４】
中間転写ベルト２１と２次転写装置２６の２次転写ローラ２６ａとの間にはニップ域が形成されており、用紙搬送経路Ｒ１を通じて搬送されて来た記録用紙をそのニップ域に挟み込んで搬送しつつ、中間転写ベルト２１表面のカラーのトナー像を記録用紙上に転写する。そして、定着装置１７の加熱ローラ３１と加圧ローラ３２との間に記録用紙を挟み込んで加熱及び加圧し、記録用紙上のカラーのトナー像を定着させる。
【００３５】
一方、記録用紙は、ピックアップローラ３３により給紙カセット５から引き出されて、用紙搬送経路Ｒ１を通じて搬送され、２次転写装置２６や定着装置１７を経由し、排紙ローラ３６を介して排紙トレイ３９へと搬出される。この用紙搬送経路Ｒ１には、記録用紙を一旦停止させて、記録用紙の先端を揃えた後、中間転写ベルト２１と２次転写ローラ２６ａ間のニップ域でのカラーのトナー像の転写タイミングに合わせて記録用紙の搬送を開始するレジストローラ３４、記録用紙の搬送を促す各搬送ローラ３５、排紙ローラ３６等が配置されている。
【００３６】
また、記録用紙の表面だけではなく、裏面の印字を行う場合は、記録用紙を排紙ローラ３６から反転経路Ｒｒへと逆方向に搬送して、記録用紙の表裏を反転させ、記録用紙をレジストローラ３４へと再度導き、記録用紙の表面と同様に、記録用紙の裏面に画像を記録して定着し、記録用紙を排紙トレイ３９へと搬出する。
【００３７】
次に、第１実施形態の画像読取り装置２について説明する。図２は、画像読取り装置２及び原稿搬送装置３を示す断面図である。また、図３は、画像読取り装置２を示す平面図である。
【００３８】
図２及び図３において、原稿搬送装置３は、その奥の一辺がヒンジ（図示せず）により下側の画像読取り装置２の一辺に枢支され、その手前側が上下されることにより開閉される。原稿搬送装置３を開いたときには、画像読取り装置２の原稿載置ガラス４２及び原稿読取りガラス４３が開放される。
【００３９】
画像読取り装置２は、画像読取り装置２の筐体４１と、筐体４１の上側開口部に設けられた原稿載置ガラス４２及び原稿読取りガラス４３と、原稿載置ガラス４２及び原稿読取りガラス４３の下方に設けられた走査部４４と、走査部４４を副走査方向Ｙに移動させる駆動装置４５と、フラットケーブル４６とを備えている。また、画像読取り装置２の原稿載置ガラス４２の手前の一辺４２ａ側には、画像形成装置１の操作パネル６が設けられている。
【００４０】
フラットケーブル４６は、フレキシブルフラットケーブル（ＦＦＣ）、フレキシブルプリント基板（ＦＰＣ）等であり、筐体４１の内側で概ね副走査方向Ｙに引き回され、その一端４６ａが走査部４４のコネクタ４４ａに接続され、その他端４６ｂが筐体４１の底部４１ａに固定されたコネクタ４１ｂに接続されている。また、フラットケーブル４６の他端４６ｂの近傍部分を該フラットケーブル４６の平坦な面４６ｃの幅方向Ｈに対して斜め略４５°の折り曲げ線４６ｄで折り曲げて、他端４６ｂを副走査方向Ｙと直交する方向に向けて筐体４１の底部４１ａのコネクタ４１ｂに接続している。更に、コネクタ４４ａから副走査方向Ｙに離間したフラットケーブル４６の斜線部分４６ｓを両面テープ（図示せず）を介して筐体４１の底部４１ａの固定位置Ｓに固定している。また、走査部４４のコネクタ４４ａから固定位置Ｓまでの範囲ではフラットケーブル４６の平坦な面４６ｃ（又は幅方向Ｈ）を原稿載置ガラス４２と対向させ、その範囲におけるフラットケーブル４６の部分が走査部４４の副走査方向Ｙの移動に追従して上下方向及び副走査方向Ｙに湾曲して変形するようにしている。
【００４１】
尚、ここでは、両面テープを用いて、フラットケーブル４６の斜線部分４６ｓを固定位置Ｓに固定しているが、フラットケーブル４６の上に押え部材を載せて、この押え部材を筐体４１の底部４１ａにネジ止めしたり、あるいはスナップを用いて、その押え部材を底部４１ａに止め、これによりフラットケーブル４６の斜線部分４６ｓを固定位置Ｓに固定してもよい。
【００４２】
駆動装置４５は、走査部４４を副走査方向Ｙに移動自在に支持するガイドシャフト５１及びガイドレール５２と、走査部４４を副走査方向Ｙに移動させて位置決めする移動ユニット５３とを備えている。ガイドシャフト５１は、走査部４４の筐体に設けられたガイド孔を貫通して、その筐体を移動自在に支持する。また、ガイドレール５２には、走査部４４の筐体が滑動自在に載せられ、ガイドレール５２によっても走査部４４の筐体が支持される。移動ユニット５３は、副走査方向Ｙに離間して設けられた一対のプーリ５４、各プーリ５４に架け渡されて、走査部４４の筐体に接続されたベルト５５、各プーリ５４の一方を回転駆動するモータ５６等を備え、モータ５６により各プーリ５４の一方を回転駆動して、ベルト５５を周回移動させ、走査部４４を副走査方向Ｙに往復移動させる。モータ５６の回転方向及び回転角度を制御することにより走査部４４の移動を制御することができる。
【００４３】
走査部４４は、光源６１、結像レンズ６２、ＣＣＤ（Charge Coupled Device）６３、及び第１〜第５反射ミラー６４〜６８等を備え、駆動装置４５により原稿載置ガラス４２及び原稿読取りガラス４３のいずれかの下方に移動され、原稿載置ガラス４２上に載置された原稿（被照射体）を読取ったり（第１読取りモード）、原稿読取りガラス４３上で搬送される原稿（被照射体）を読取ったりする（第２読取りモード）。
【００４４】
第１読取りモードでは、走査部４４を駆動装置４５により原稿載置ガラス４２の下方に移動させ、原稿搬送装置３を開いて、原稿を原稿載置ガラス４２上に載置し、原稿搬送装置３を閉じる。そして、走査部４４を駆動装置４５により副走査方向Ｙに原稿サイズに応じた距離だけ一定速度で移動させながら、原稿載置ガラス４２上の原稿を光源６１によって照明し、その反射光を第１〜第５反射ミラー６４〜６８により順次反射して結像レンズ６２へと導く。結像レンズ６２は、原稿からの反射光をＣＣＤ６３に集光して、原稿表面の画像をＣＣＤ６３上に結像させる。ＣＣＤ６３は、原稿表面の画像を繰り返し主走査方向Ｘに走査して、原稿表面の画像を読取る。
【００４５】
第２読取りモードでは、走査部４４を駆動装置４５により原稿読取りガラス４３の下方に移動させて位置決めし、原稿搬送装置３により、原稿を原稿載置トレイ５７から引き出して原稿読取りガラス４３上で副走査方向Ｙに搬送し原稿排紙トレイ５８へと排出させる。原稿が原稿読取りガラス４３上を通過するときに、走査部４４の光源６１により原稿表面を原稿読取りガラス４３を介して照明し、原稿表面からの反射光を走査部４４の第１〜第５反射ミラー６４〜６８により順次反射して結像レンズ６２へと導き、原稿表面からの反射光を結像レンズ６２によりＣＣＤ６３に集光させて、原稿表面の画像をＣＣＤ６３上に結像させ、ＣＣＤ６３により原稿表面の画像を主走査方向Ｘに繰返し走査して、原稿表面の画像を読取る。
【００４６】
ところで、走査部４４の移動に追従してフラットケーブル４６が湾曲し変形する度に、フラットケーブル４６が上方に浮き上って原稿載置ガラス４２に接触すると、これが原因となって原稿載置ガラス４２が汚れたり傷付いたりすることがある。
【００４７】
そこで、第１実施形態の画像読取り装置２では、図３に示すようにフラットケーブル４６の平坦な面４６ｃの幅方向Ｈにおいて、走査部４４のコネクタ４４ａ（フラットケーブル４６の一端４６ａ）の位置とフラットケーブル４６の斜線部分４６ｓが固定されている固定位置Ｓとをずらして、フラットケーブル４６を捻っている。
【００４８】
詳しくは、走査部４４のコネクタ４４ａから固定位置Ｓまでの範囲ではフラットケーブル４６の平坦な面４６ｃ（又は幅方向Ｈ）が原稿載置ガラス４２と対向する。この状態を設定するために、走査部４４のコネクタ４４ａの幅方向が原稿載置ガラス４２と平行となるように該コネクタ４４ａを配置して、コネクタ４４ａに接続されたフラットケーブル４６の一端４６ａを原稿載置ガラス４２と平行にし、原稿載置ガラス４２と平行な筐体４１の底部４１ａの固定位置Ｓにフラットケーブル４６の斜線部分４６ｓを固定している。
【００４９】
そして、フラットケーブル４６の斜線部分４６ｓが固定されている固定位置Ｓをフラットケーブル４６の幅方向Ｈにかつ走査部４４のコネクタ４４ａよりも原稿載置ガラス４２の手前の一辺側（操作パネル６の側）にずらしている。従って、原稿載置ガラス４２に対する鉛直方向から視たときには、固定位置Ｓがフラットケーブル４６の幅方向Ｈにかつ走査部４４のコネクタ４４ａよりも原稿載置ガラス４２の手前の一辺４２ａ側にずれている。
【００５０】
このようにフラットケーブル４６の斜線部分４６ｓが固定されている固定位置Ｓをずらすと、フラットケーブル４６には、該フラットケーブル４６が原稿載置ガラス４２の手前の一辺４２ａから離れるような捻れが生じる。また、固定位置Ｓのずれ量を適宜調節することにより、フラットケーブル４６の捻れの程度を設定することができる。そして、そのようなフラットケーブル４６の捻れの向き及び捻れの程度を適宜に設定すると、走査部４４の移動に伴ってフラットケーブル４６が変形して浮き上っても、その浮き上りの方向が原稿載置ガラス４２に対しては斜め方向になるようにすることができ、走査部４４の移動位置にかかわらずフラットケーブル４６が原稿載置ガラス４２に接触しないようにすることができる。また、走査部４４の移動に伴ってフラットケーブル４６が原稿載置ガラス４２の手前の一辺４２ａから離れるように変形するので、フラットケーブル４６が筐体４１の内壁４１ｃに接触することもない。
【００５１】
また、フラットケーブル４６を退避させるための格別なスペースを必要とせず、筐体４１の高さ、すなわち画像読取り装置２の高さを低く抑えることができる。
【００５２】
また、図３から明らかなようにフラットケーブル４６は、原稿載置ガラス４２の中心よりも操作パネル６の近傍に配置されている。このため、利用者は、操作パネル６越しに原稿載置ガラス４２を視ることになり、フラットケーブル４６が原稿載置ガラス４２の手前の一辺４２ａから離れるように変形しても、フラットケーブル４６が操作パネル６で隠されて目立たなくなる。
【００５３】
図４（ａ）〜（ｃ）は、第１実施形態の画像読取り装置２における走査部４４の移動に伴うフラットケーブル４６の湾曲の変化を模式的に示す側面図である。図４（ａ）に示すように走査部４４が原稿読取りガラス４３の下方に移動されているときには、フラットケーブル４６が延ばされて原稿読取りガラス４３から大きく離れている。図４（ｂ）に示すように走査部４４が原稿載置ガラス４２の略中央まで副走査方向Ｙに移動されると、フラットケーブル４６が湾曲して浮き上るものの、その浮き上りの方向が原稿載置ガラス４２に対しては斜め方向となるため、フラットケーブル４６が原稿載置ガラス４２に接触することはない。図４（ｃ）に示すように走査部４４が原稿読取りガラス４３とは反対側の原稿載置ガラス４２の端部４２ｂ近傍まで副走査方向Ｙに移動されると、フラットケーブル４６が走査部４４の下方に侵入するので、フラットケーブル４６が原稿載置ガラス４２に接触することはない。
【００５４】
図５（ａ）〜（ｃ）は、比較例の画像読取り装置における走査部４４の移動に伴うフラットケーブル４６の湾曲の変化を模式的に示す側面図である。この比較例では、フラットケーブル４６の平坦な面４６ｃの幅方向Ｈにおいて、走査部４４のコネクタ４４ａとフラットケーブル４６の斜線部分４６ｓが固定されている固定位置Ｓとを同一位置に設定している。このため、図５（ａ）に示すように走査部４４が原稿読取りガラス４３の下方に移動されたときや、図５（ｃ）に示すように走査部４４が原稿載置ガラス４２の端部４２ｂ近傍まで副走査方向Ｙに移動されたときには、フラットケーブル４６が原稿載置ガラス４２に接触することはないものの、図５（ｂ）に示すように走査部４４が原稿載置ガラス４２の略中央まで副走査方向Ｙに移動されると、原稿載置ガラス４２に対してはフラットケーブル４６が最短距離の真上方向に湾曲して浮き上るので、フラットケーブル４６が原稿載置ガラス４２に接触する。
【００５５】
このように第１実施形態の画像読取り装置２では、フラットケーブル４６の斜線部分４６ｓが固定されている固定位置Ｓをフラットケーブル４６の幅方向Ｈにかつ走査部４４のコネクタ４４ａよりも原稿載置ガラス４２の手前の一辺４２ａ側にずらしているので、走査部４４の移動に伴ってフラットケーブル４６が変形して浮き上っても、その浮き上りの方向が原稿載置ガラス４２に対しては斜め方向となり、フラットケーブル４６が原稿載置ガラス４２に接触することはなく、またフラットケーブル４６が筐体４１の内壁４１ｃに接触することもない。
【００５６】
また、フラットケーブル４６を退避させるための格別なスペースを必要とせず、筐体４１の高さ、すなわち画像読取り装置２の高さを低く抑えることができる。
【００５７】
次に、本発明の第２実施形態の画像読取り装置２Ａについて説明する。図６は、第２実施形態の画像読取り装置２Ａを示す断面図である。また、図７は、第２実施形態の画像読取り装置２Ａを示す平面図である。尚、図６及び図７において、図２及び図３と同様の作用を果たす部位には同じ符号を付す。
【００５８】
第２実施形態の画像読取り装置２Ａでは、フラットケーブル４６の平坦な面４６ｃの幅方向Ｈが原稿載置ガラス４２と直交しており、フラットケーブル４６が主走査方向Ｘ及び副走査方向Ｙに膨らむように湾曲して変形している。
【００５９】
フラットケーブル４６は、筐体４１の内側で副走査方向Ｙに引き回され、その一端４６ａが走査部４４のコネクタ４４ａに接続固定され、その他端４６ｂが筐体４１の内壁４１ｃに固定されたコネクタ４１ｂ（固定位置Ｓ）に接続固定されている。
【００６０】
また、走査部４４のコネクタ４４ａの幅方向が原稿載置ガラス４２と直交するように該コネクタ４４ａを配置して、コネクタ４４ａに接続されたフラットケーブル４６の一端４６ａを原稿載置ガラス４２と直交させている。同様に、筐体４１の内壁４１ｃのコネクタ４１ｂの幅方向が原稿載置ガラス４２と直交するように該コネクタ４１ｂを配置して、コネクタ４１ｂに接続されたフラットケーブル４６の他端４６ｂを原稿載置ガラス４２と直交させている。
【００６１】
走査部４４のコネクタ４４ａは、走査部４４の移動方向と直交する方向（主走査方向Ｘ又は画像読取り装置２Ａの側方）から視て、筐体４１の中心よりも原稿載置ガラス４２の近傍に配置されている。更に、筐体４１の内壁４１ｃのコネクタ４１ｂは、走査部４４の移動方向と直交する方向から視て、走査部４４のコネクタ４４ａよりも原稿載置ガラス４２から離れた位置に配置されている。従って、フラットケーブル４６の平坦な面４６ｃの幅方向Ｈ（上下方向）において、走査部４４のコネクタ４４ａの位置とフラットケーブル４６の他端４６ｂが接続固定された固定位置Ｓ（コネクタ４１ｂの位置）とがずれており、筐体４１の内壁４１ｃのコネクタ４１ｂがフラットケーブル４６の他端４６ｂが接続固定された固定位置Ｓよりも原稿載置ガラス４２から離れる方向にずれている。
【００６２】
ここで、図７に示すように走査部４４が原稿読取りガラス４３とは反対側の原稿載置ガラス４２の端部４２ｂ近傍まで副走査方向Ｙに移動されたときには、フラットケーブル４６が主走査方向Ｘ及び副走査方向Ｙに膨らむように湾曲する。また、走査部４４が原稿載置ガラス４２の略中央まで副走査方向Ｙに移動されると、フラットケーブル４６が主走査方向Ｘ及び副走査方向Ｙに最も膨らんで湾曲する。更に、走査部４４が原稿読取りガラス４３の下方まで副走査方向Ｙに移動されると、フラットケーブル４６が副走査方向Ｙに延ばされる。
【００６３】
このような構成の第２実施形態の画像読取り装置２Ａでは、走査部４４のコネクタ４４ａが原稿載置ガラス４２の近傍に配置されていることから、フラットケーブル４６の湾曲の向きによっては該フラットケーブル４６が原稿載置ガラス４２に接触するおそれがある。
【００６４】
ところが、筐体４１の内壁４１ｃのコネクタ４１ｂが走査部４４のコネクタ４４ａよりも原稿載置ガラス４２から離れる方向にずらされているため、フラットケーブル４６には、該フラットケーブル４６が原稿載置ガラス４２から斜め下方に離れるような捻れが生じる。このため、走査部４４の移動に伴ってフラットケーブル４６が変形しても、その変形の方向が原稿載置ガラス４２に対しては斜め下方向となり、走査部４４の移動位置にかかわらずフラットケーブル４６が原稿載置ガラス４２に接触することがない。
【００６５】
また、フラットケーブル４６を退避させるための格別なスペースを必要とせず、筐体４１の高さ、すなわち画像読取り装置２の高さを低く抑えることができる。
【００６６】
尚、走査部４４の移動方向と直交する方向（主走査方向Ｘ又は画像読取り装置２Ａの側方）から視て、走査部４４のコネクタ４４ａが筐体４１の中心よりも該筐体４１の底部４１ａの近傍に配置されている場合は、フラットケーブル４６の他端４６ｂが接続固定された固定位置Ｓ（コネクタ４１ｂの位置）を走査部４４のコネクタ４４ａよりも該筐体４１の底部４１ａから離して位置決めすればよい。これにより、フラットケーブル４６には、該フラットケーブル４６が筐体４１の底部４１ａから斜め上方に離れるような捻れが生じて、走査部４４の移動に伴うフラットケーブル４６の変形の方向が筐体４１の底部４１ａに対しては斜め上方向となり、フラットケーブル４６が筐体４１の底部４１ａに接触することがない。
【００６７】
次に、本発明の第３実施形態の画像読取り装置２Ｂについて説明する。図８は、第３実施形態の画像読取り装置２Ｂを示す断面図である。また、図９は、第３実施形態の画像読取り装置２Ｂを示す平面図である。尚、図８及び図９において、図２及び図３と同様の作用を果たす部位には同じ符号を付す。
【００６８】
第３実施形態の画像読取り装置２Ｂでは、フラットケーブル４６の平坦な面４６ｃの幅方向Ｈが原稿載置ガラス４２と平行に保持されている。また、フラットケーブル４６は、筐体４１の内側で副走査方向Ｙに引き回され、その一端４６ａが走査部４４のコネクタ４４ａに接続され、その他端４６ｂが筐体４１の底部４１ａに固定されたコネクタ４１ｂに接続されている。
【００６９】
また、走査部４４のコネクタ４４ａの幅方向が原稿載置ガラス４２と平行となるように該コネクタ４４ａを配置している。同様に、筐体４１の底部４１ａのコネクタ４１ｂの幅方向が原稿載置ガラス４２と平行となるように該コネクタ４１ｂを配置している。
【００７０】
そして、フラットケーブル４６の平坦な面４６ｃの幅方向Ｈにおいて走査部４４のコネクタ４４ａの位置と筐体４１の底部４１ａのコネクタ４１ｂの位置とを一致させている。
【００７１】
また、図１０に示すように走査部４４のコネクタ４４ａに接続されたフラットケーブル４６の一端４６ａの近傍部分４６ｅを、該フラットケーブル４６の幅方向Ｈの中心で山折にしている。
【００７２】
このような構成の第３実施形態の画像読取り装置２Ｂでは、フラットケーブル４６の幅方向Ｈにおいて走査部４４のコネクタ４４ａの位置と筐体４１のコネクタ４１ｂの位置とが一致しているため、走査部４４の移動に伴い、原稿載置ガラス４２に対してフラットケーブル４６が最短距離の真上方向に湾曲して浮き上って原稿載置ガラス４２へと接近して行く。
【００７３】
ところが、フラットケーブル４６の一端４６ａの近傍部分４６ｅを、該フラットケーブル４６の幅方向Ｈの中心で山折にしていることから、この近傍部分４６ｅが湾曲することはなく、よってフラットケーブル４６のうちの一端４６ａの近傍部分４６ｅを除く他の部分だけが湾曲して変形することになる。このため、フラットケーブル４６の一端４６ａの近傍部分４６ｅの長さを適宜調節すれば、フラットケーブル４６の長さを短くすることなく、フラットケーブル４６の湾曲部分を特定することができ、フラットケーブル４６の浮き上り量を制限して、フラットケーブル４６を原稿載置ガラス４２に接触させないようすることができる。
【００７４】
次に、第４実施形態の画像読取り装置２Ｃについて説明する。図１１は、第４実施形態の画像読取り装置２Ｃを示す断面図である。また、図１２は、第４実施形態の画像読取り装置２Ｃを示す平面図である。尚、図１１及び図１２において、図２及び図３と同様の作用を果たす部位には同じ符号を付す。
【００７５】
第４実施形態の画像読取り装置２Ｃでは、フラットケーブル４６が筐体４１の内側で副走査方向Ｙに引き回され、フラットケーブル４６の平坦な面４６ｃの幅方向Ｈが原稿載置ガラス４２と平行に保持されている。また、フラットケーブル４６の一端４６ａが走査部４４のコネクタ４４ａに接続され、フラットケーブル４６の途中部分が該フラットケーブル４６の平坦な面４６ｃの幅方向Ｈに対して斜め略４５°の折り曲げ線４６ｄで折り曲げられ、フラットケーブル４６が筐体４１の底部４１ａを主走査方向Ｘに横切って、フラットケーブル４６の他端４６ｂが筐体４１の底部４１ａのコネクタ４１ｂに接続されている。
【００７６】
また、フラットケーブル４６の折り曲げ線４６ｄの部位は、移動支持部７１に搭載されて固定されている。移動支持部７１は、筐体４１の底部４１ａに設けられたガイドレール７２により副走査方向Ｙに移動自在に支持されている。また、移動支持部７１は、図示しないバネ（付勢部材）により原稿読取りガラス４３とは反対側の原稿載置ガラス４２の端部４２ｂ側に付勢されている。
【００７７】
このような構成の第４実施形態の画像読取り装置２Ｃでは、走査部４４が原稿読取りガラス４３の下方に移動されたときには、バネにより移動支持部７１が原稿読取りガラス４３とは反対側の原稿載置ガラス４２の端部４２ｂ側に付勢されていることから、バネによりフラットケーブル４６の従動部分４６ｆが延ばされる。このため、フラットケーブル４６が原稿載置ガラス４２に接触することはない。
【００７８】
また、走査部４４が原稿載置ガラス４２の端部４２ｂ側へと移動されても、バネの付勢力により移動支持部７１がガイドレール７２上で移動して走査部４４に追従する限りは、フラットケーブル４６の従動部分４６ｆが延ばされる。このため、フラットケーブル４６が原稿載置ガラス４２に接触することはない。
【００７９】
更に、走査部４４が移動されて、移動支持部７１が原稿載置ガラス４２の端部４２ｂに接近するまで移動すると、フラットケーブル４６の従動部分４６ｆが湾曲して変形する。ただし、フラットケーブル４６の従動部分４６ｆは、走査部４４のコネクタ４４ａから移動支持部７１までの長さを有し、この長さが短いことから、フラットケーブル４６の従動部分４６ｆが湾曲して上方に浮き上っても原稿載置ガラス４２に接触することはない。
【００８０】
また、フラットケーブル４６の折り曲げ線４６ｄから他端４６ｂまでの部分は、筐体４１の底部４１ａに載せられているだけであって固定されておらず、移動支持部７１の移動に追従して変形し移動する。
【００８１】
尚、本発明は、上記第１乃至第４実施形態に限定されるものではなく、多様に変形することができる。例えば、上記第１乃至第４実施形態を適宜に組み合わせてもよい。
【００８２】
以上、添付図面を参照しながら本発明の好適な実施形態及び変形例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【００８３】
１  画像形成装置
２、２Ａ、２Ｂ、２Ｃ  画像読取り装置
３  原稿搬送装置
４  印刷部
５  給紙カセット
６  操作パネル
１１  光走査装置
１２  現像装置
１３  感光体ドラム
１４  ドラムクリーニング装置
１５  帯電装置
１７  定着装置
２１  中間転写ベルト
２６ａ  ２次転写ローラ
２５  ベルトクリーニング装置
４１  筐体
４１ｂ、４４ａ  コネクタ
４２  原稿載置ガラス
４３  原稿読取りガラス
４４  走査部
４５  駆動装置
４６  フラットケーブル
【図１】
2015141349.tif 000003
【図２】
2015141349.tif 000004
【図３】
2015141349.tif 000005
【図４】
2015141349.tif 000006
【図５】
2015141349.tif 000007
【図６】
2015141349.tif 000008
【図７】
2015141349.tif 000009
【図８】
2015141349.tif 000010
【図９】
2015141349.tif 000011
【図１０】
2015141349.tif 000012
【図１１】
2015141349.tif 000013
【図１２】
2015141349.tif 000014